(57)【要約】      （修正有）【課題】本発明は、空調室内機・室外機の自己清浄方法を提供する。【解決手段】室内機の蒸発器表面を結露させるように、室内機のファンの回転数及び／又はコンプレッサの作動速度を調節することと、室内機の蒸発器表面を着霜させるように、室内機のファン、及び／又はコンプレッサ、四方弁を調節することで、室内機の蒸発器の除霜・乾燥工程及び室外機の凝縮器の結露・着霜工程を行うことと、室内機の蒸発器表面を除霜・乾燥させるように、室内機のファンの回転数を調節することと、室外機の凝縮器表面を結露させるように、室外機のファンの回転数を調節することと、室外機の凝縮器表面を着霜させるように、室外機のファンの回転数を調節することと、室外機の凝縮器表面を除霜させることと、を含む。本発明によれば、室内機の自己清浄と乾燥・静菌並びに室外機の自己清浄を実現でき、空調性能の向上が図られ、利用者の健康を確保することに役立っている。【選択図】図１
2020038053.tif 000002
【特許請求の範囲】
【請求項１】
室内機の蒸発器表面を結露させるように、室内機のファンの回転数及び／又はコンプレッサの作動速度を調節することと、
室内機の蒸発器表面を着霜させるように、室内機のファンを停止し、あるいは、室内機のファンの回転数及び／又はコンプレッサの作動速度を調節することと、
コンプレッサの運転を停止し四方弁を切り替えてからコンプレッサを再起動させることで、室内機の蒸発器の除霜・乾燥工程及び室外機の凝縮器の結露・着霜工程を行うことと、
室内機の蒸発器表面を除霜・乾燥させるように、室内機のファンの回転数を調節することと、
室外機の凝縮器表面を結露させるように、室外機のファンの回転数を調節することと、
室外機の凝縮器表面を着霜させるように、室外機のファンの回転数を調節することと、
室外機の凝縮器表面を除霜させることと、
を含むことを特徴とする空調室内機・室外機の自己清浄方法。
【請求項２】
前記した室内機の蒸発器表面を結露させるように、室内機のファンの回転数及び／又はコンプレッサの作動速度を調節することは、
室内機が設けられる室内の現在の環境温度と環境湿度を取得し、室内機の蒸発器表面を結露させうる室内結露温度の範囲を特定することと、
室内機のファンの回転数を低下させ、コンプレッサの作動速度を調節することにより、室内機の蒸発器の温度を前記室内結露温度の範囲に維持させるように制御することと、
を含むことを特徴とする、請求項１に記載の空調室内機・室外機の自己清浄方法。
【請求項３】
前記した室内機が設けられる室内の現在の環境温度と環境湿度を取得し、室内機の蒸発器表面を結露させうる結露温度の範囲を特定することは、
前記した室内の現在の環境温度と環境湿度に基づいて、現在の環境での室内露点温度Ｔ内露を特定することを含み、
前記室内結露温度の範囲はＴ１＝（Ｔ内露−Ｔ内露修）±２℃であり、
ここで、Ｔ内露修は室内機の蒸発器結露工程の修正温度であることを特徴とする、請求項２に記載の空調室内機・室外機の自己清浄方法。
【請求項４】
室内機の蒸発器結露工程の修正温度Ｔ内露修は１５℃〜２５℃で、Ｔ１≧０℃であり、（Ｔ内露−Ｔ内露修）±２℃＜０℃であるとき、Ｔ１は０℃となることを特徴とする、請求項３に記載の空調室内機・室外機の自己清浄方法。
【請求項５】
前記した室内機のファンの回転数を低下させ、コンプレッサの作動速度を調節することにより、室内機の蒸発器の温度を前記室内結露温度の範囲に維持させるように制御することは、
室内機のファンを予め定められた低風速で運転させることと、
室内機の蒸発器における銅管の表面温度Ｔ内を検出し、Ｔ内＞Ｔ内露−Ｔ内露修＋２℃であるとき、コンプレッサの作動速度を向上させ、Ｔ内≦Ｔ内露−Ｔ内露修−２℃であるとき、コンプレッサの作動速度を低下させ、Ｔ内露−Ｔ内露修−２℃＜Ｔ内≦Ｔ内露−Ｔ内露修＋２℃であるとき、コンプレッサの作動速度をそのまま維持することと、
を含むことを特徴とする、請求項２に記載の空調室内機・室外機の自己清浄方法。
【請求項６】
室内機の蒸発器表面の結露の継続時間ｔ１は５分〜１５分であることを特徴とする、請求項１に記載の空調室内機・室外機の自己清浄方法。
【請求項７】
前記した室内機の蒸発器表面を着霜させるように、室内機のファンを停止し、あるいは、室内機のファンの回転数及び／又はコンプレッサの作動速度を調節することは、
室内機の蒸発器表面に着霜させうる室内着霜温度の範囲を特定することと、
室内機のファンの回転数を低下させる、又はそれを停止し、コンプレッサの作動速度を調節することにより、室内機の蒸発器の温度を前記室内着霜温度の範囲に維持させるように制御することと、
を含むことを特徴とする、請求項１に記載の空調室内機・室外機の自己清浄方法。
【請求項８】
室内機の蒸発器表面に着霜させうる着霜温度の範囲を特定することは、
前記室内着霜温度の範囲をＴ２≦０℃となるようにＴ２＝（Ｔ内露−Ｔ内霜修）±２℃とすることを含み、
ここで、Ｔ内霜修は室内機の蒸発器着霜工程の修正温度であることを特徴とする、請求項７に記載の空調室内機・室外機の自己清浄方法。
【請求項９】
室内機の蒸発器着霜工程の修正温度Ｔ内霜修は２５℃〜３５℃で、Ｔ内露−Ｔ内霜修＋２℃≦０℃となるように保証されていることを特徴とする、請求項８に記載の空調室内機・室外機の自己清浄方法。
【請求項１０】
前記した室内機のファンの回転数を低下させる、又はそれを停止し、コンプレッサの作動速度を調節することにより、室内機の蒸発器の温度を前記室内着霜温度の範囲に維持させるように制御することは、
室内機のファンを予め定められた微小風速で運転させる、又はそれを停止することと、
室内機の蒸発器における銅管の表面温度Ｔ内を検出し、Ｔ内＞Ｔ内露−Ｔ内霜修＋２℃であるとき、コンプレッサの作動速度を向上させ、Ｔ内≦Ｔ内露−Ｔ内霜修−２℃であるとき、コンプレッサの作動速度を低下させ、Ｔ内露−Ｔ内霜修−２℃＜Ｔ内≦Ｔ内露−Ｔ内霜修＋２℃であるとき、コンプレッサの作動速度をそのまま維持することと、
を含むことを特徴とする、請求項７に記載の空調室内機・室外機の自己清浄方法。
【請求項１１】
室内機の蒸発器表面の結露の継続時間ｔ２は５分〜１５分であることを特徴とする、請求項１に記載の空調室内機・室外機の自己清浄方法。
【請求項１２】
前記した室内機の蒸発器表面を除霜・乾燥させるように、室内機のファンの回転数を調節することは、
室内機の蒸発器における銅管の表面温度Ｔ内を検出し、Ｔ内＞Ｔ内除＋２℃であるとき、室内機のファンの回転数を向上させ、Ｔ内≦Ｔ内除−２℃であるとき、室内機のファンの回転数を低下させ、Ｔ内除−２℃＜Ｔ内≦Ｔ内除＋２℃であるとき、室内機のファンの回転数をそのまま維持することを含み、
ここで、Ｔ内除は室内機の蒸発器の除霜・乾燥工程での室内機の蒸発器における銅管の表面の目標温度であることを特徴とする、請求項１に記載の空調室内機・室外機の自己清浄方法。
【請求項１３】
前記した室内機の蒸発器の除霜・乾燥工程での室内機の蒸発器における銅管の表面の目標温度Ｔ内除は５０℃〜６５℃であることを特徴とする、請求項１２に記載の空調室内機・室外機の自己清浄方法。
【請求項１４】
前記した室内機の蒸発器表面を除霜・乾燥させるように、室内機のファンの回転数を調節することは、
室内機のファンの回転数Ｒ内を検出し、Ｒ内≧Ｒ熱であるとき、補助電気加熱の機能をオンにし、Ｒ内＜Ｒ熱−５０ＲＰＭであるとき、補助電気加熱の機能をオフにし、Ｒ熱−５０ＲＰＭ＜Ｒ内≦Ｒ熱であるとき、補助電気加熱の機能の現在の状態を維持することをさらに含み、
ここで、Ｒ熱は室内機の蒸発器の除霜・乾燥工程にて補助電気加熱の機能をオンにする場合の最低回転数であることを特徴とする、請求項１２に記載の空調室内機・室外機の自己清浄方法。
【請求項１５】
前記した室内機の蒸発器の除霜・乾燥工程にて補助電気加熱の機能をオンにする場合の最低回転数Ｒ熱は室内機のファンについて予め定められた中風速に対応するその回転数であることを特徴とする、請求項１４に記載の空調室内機・室外機の自己清浄方法。
【請求項１６】
前記した室外機の凝縮器表面を結露させるように、室外機のファンの回転数を調節することは、
室外機が設けられる室外の現在の環境温度と環境湿度を取得し、室外機の凝縮器表面を結露させうる室外結露温度の範囲を特定することと、
室外機のファンの回転数を調節し、室外機の凝縮器の温度を前記室外結露温度の範囲に維持させるように制御することと、
を含むことを特徴とする、請求項１に記載の空調室内機・室外機の自己清浄方法。
【請求項１７】
前記した室外機が設けられる室外の現在の環境温度と環境湿度を取得し、室外機の凝縮器表面を結露させうる室外結露温度の範囲を特定することは、
前記した室外の現在の環境温度と環境湿度に基づいて、現在の環境での室外露点温度Ｔ外露を特定することを含み、
前記室外結露温度の範囲はＴ３＝（Ｔ外露−Ｔ外露修）±２℃であり、
ここで、Ｔ外露修は室外機の凝縮器結露工程の修正温度であることを特徴とする、請求項１６に記載の空調室内機・室外機の自己清浄方法。
【請求項１８】
室外機の凝縮器結露工程の修正温度Ｔ外露修は１５℃〜３０℃であることを特徴とする、請求項１７に記載の空調室内機・室外機の自己清浄方法。
【請求項１９】
前記した室外機のファンの回転数を調節し、室外機の凝縮器の温度を前記室外結露温度の範囲に維持させるように制御することは、
室外機の凝縮器における銅管の表面温度Ｔ外を検出し、Ｔ外＞Ｔ外露−Ｔ外露修＋２℃であるとき、室外機のファンの回転数を低下させ、Ｔ外≦Ｔ外露−Ｔ外露修−２℃であるとき、室外機のファンの回転数を向上させ、Ｔ外露−Ｔ外露修−２℃＜Ｔ外≦Ｔ外露−Ｔ外露修＋２℃であるとき、室外機のファンの回転数をそのまま維持することを含むことを特徴とする、請求項１６に記載の空調室内機・室外機の自己清浄方法。
【請求項２０】
室外機の凝縮器の結露の継続時間ｔ３は５分〜１５分であることを特徴とする、請求項１に記載の空調室内機・室外機の自己清浄方法。
【請求項２１】
前記した室外機の凝縮器表面を着霜させるように、室外機のファンの回転数を調節することは、
室外機の凝縮器表面を着霜させうる室外着霜温度の範囲を特定することと、
室外機のファンの回転数を調節し、室外機の凝縮器の温度を前記室外着霜温度の範囲に維持させるように制御することと、
を含むことを特徴とする、請求項１に記載の空調室内機・室外機の自己清浄方法。
【請求項２２】
前記した室外機の凝縮器表面を着霜させうる室外着霜温度の範囲を特定することは、
前記室外着霜温度の範囲をＴ３≦０℃となるようにＴ３＝（Ｔ外露−Ｔ外霜修）±２℃とすることを含み、
ここで、Ｔ外霜修は室外機の凝縮器着霜工程の修正温度であることを特徴とする、請求項２１に記載の空調室内機・室外機の自己清浄方法。
【請求項２３】
室外機の凝縮器着霜工程の修正温度Ｔ外霜修は２５℃〜４０℃で、Ｔ外露−Ｔ外霜修＋２℃≦０℃となるように保証されていることを特徴とする、請求項２２に記載の空調室内機・室外機の自己清浄方法。
【請求項２４】
前記した室外機のファンの回転数を調節し、室外機の凝縮器の温度を前記室外着霜温度の範囲に維持させるように制御することは、
室外機の凝縮器における銅管の表面温度Ｔ外を検出し、Ｔ外＞Ｔ外露−Ｔ外霜修＋２℃であるとき、室外機のファンの回転数を低下させ、Ｔ外≦Ｔ外露−Ｔ外霜修−２℃であるとき、室外機のファンの回転数を向上させ、Ｔ外露−Ｔ外霜修−２℃＜Ｔ外≦Ｔ外露−Ｔ外霜修＋２℃であるとき、室外機のファンの回転数をそのまま維持することを含むことを特徴とする、請求項２１に記載の空調室内機・室外機の自己清浄方法。
【請求項２５】
室外機の凝縮器着霜の継続時間ｔ４は５分〜１５分であることを特徴とする、請求項１に記載の空調室内機・室外機の自己清浄方法。
【請求項２６】
前記した室外機の凝縮器表面を除霜させることは、
室外機が設けられる室外の現在の環境温度Ｔ外環を検出し、Ｔ外環＞１５℃であるとき、室外機のファンの回転数を予め定められた高風速にまで向上させて５分〜１０分運転させ、Ｔ外環≦１５℃であるとき、コンプレッサの運転を停止し四方弁を切り替えてからコンプレッサを再起動させ、また室外機のファンの回転数を調節することで、室外機の凝縮器表面を除霜させることを含むことを特徴とする、請求項１に記載の空調室内機・室外機の自己清浄方法。
【請求項２７】
前記した室外機の凝縮器表面を除霜させるように、室外機のファンの回転数を調節することは、
室外機の凝縮器における銅管の表面温度Ｔ外を検出し、Ｔ外＞Ｔ外除＋２℃であるとき、室外機のファンの回転数を向上させ、Ｔ外≦Ｔ外除−２℃であるとき、室外機のファンの回転数を低下させ、Ｔ外除−２℃＜Ｔ外≦Ｔ外除＋２℃であるとき、室外機のファンの回転数をそのまま維持することを含み、
ここで、Ｔ外除は室外機の凝縮器除霜工程での室外機の凝縮器における銅管の表面の目標温度であることを特徴とする、請求項２６に記載の空調室内機・室外機の自己清浄方法。
【請求項２８】
前記した室外機の凝縮器除霜工程での室外機の凝縮器における銅管の表面の目標温度Ｔ外除は５０℃〜６５℃であることを特徴とする、請求項２７に記載の空調室内機・室外機の自己清浄方法。
【請求項２９】
請求項１〜請求項２８のいずれかに記載の空調室内機・室外機の自己清浄方法を実行可能であることを特徴とする空調器。
【発明の詳細な説明】
【技術分野】
【０００１】
本開示は、空調の技術分野に属し、特に空調室内機・室外機の自己清浄方法に関するものである。
【背景技術】
【０００２】
空調製品は、蒸発器としてフィンチューブ熱交換器を採用することが一般的である。一定年数使用された場合、室内空気中のほこりは流入空気と共に蒸発器内を流れることで、そのほこり粒子の一部が湿った蒸発器のフィン表面（主に蒸発器の風上面）に貼り付き、空気側汚れが形成されるようになる。この汚れは、必ず蒸発器の熱伝達や圧力降下に悪影響を与え、蒸発器が有する性能の低下を招くとともに、細菌が熱交換器表面で急速に繁殖しやすくなる。細菌が繁殖して集まると、粘り気のある様々な分泌物が生じ、より多くのほこりが蒸発器表面に吸着されてしまうという悪循環に陥る。そのため、空調室内機はその使用中常に清浄を行う必要がある。
【０００３】
一方、空調室外機の凝縮器は経年的に室内よりも悪い室外環境に曝されるため、汚れによって詰まりやすくなり、その場合、室外機による空気導入量に影響がおよび、空調の冷房／暖房性能の劣化に繋がっている。そのため、空調室外機の清浄も非常に必要とされている。
【０００４】
従来技術においては、空調室内機及び／又は室外機の清浄方法は多く提案されている。例えば、空調室内機の自己清浄技術に関する中国特許出願ＣＮ１０６８３９２７８Ａ、ＣＮ１０５９２８１３９Ａ、ＣＮ１０７５１４６８３Ａ、ＣＮ１０７６４２８６６Ａ、ＣＮ１０７７６３８７４Ａ、ＣＮ１０７７６３７９６Ａ等、及び、空調室内機・室外機の両者の自己清浄技術に関する中国特許出願ＣＮ１０６５９４９７６Ａ、ＣＮ１０６１５２４１３Ａ、ＣＮ１０６１９６４７６Ａ等がある。しかしながら、これらの技術では、空調室内機と室外機に対する自己清浄機能の要求が十分に満たされていなかった。本発明は、自己清浄を可能とするとともに、省エネルギー且つ高効率のものとなる新たな空調室内機・室外機の自己清浄方法を提案する。
【発明の概要】
【発明が解決しようとする課題】
【０００５】
従来技術の上記問題点に鑑みて、本開示は、空調室内機・室外機の自己清浄方法を提供することを目的の一つとする。この方法によれば、空調室内機と室外機の自己清浄が可能になり、長期間の使用につれて室内機の蒸発器やエアダクト及び室外機の凝縮器にほこりが堆積するという問題が解決され、空調の冷房／暖房性能への影響や利用者の健康被害が回避されるようになる。
【０００６】
本発明は、上記した空調室内機・室外機の自己清浄方法を実行可能な空調器を提供することをもう一つの目的とする。
【課題を解決するための手段】
【０００７】
本開示は、
室内機の蒸発器表面を結露させるように、室内機のファンの回転数及び／又はコンプレッサの作動速度を調節することと、
室内機の蒸発器表面を着霜させるように、室内機のファンを停止し、あるいは、室内機のファンの回転数及び／又はコンプレッサの作動速度を調節することと、
コンプレッサの運転を停止し四方弁を切り替えてからコンプレッサを再起動させることで、室内機の蒸発器の除霜・乾燥工程及び室外機の凝縮器の結露・着霜工程を行うことと、
室内機の蒸発器表面を除霜・乾燥させるように、室内機のファンの回転数を調節することと、
室外機の凝縮器表面を結露させるように、室外機のファンの回転数を調節することと、
室外機の凝縮器表面を着霜させるように、室外機のファンの回転数を調節することと、
室外機の凝縮器表面を除霜させることと、
を含む空調室内機・室外機の自己清浄方法を提供する。
【０００８】
そのうち、前記した室内機の蒸発器表面を結露させるように、室内機のファンの回転数及び／又はコンプレッサの作動速度を調節することは、
室内機が設けられる室内の現在の環境温度と環境湿度を取得し、室内機の蒸発器表面を結露させうる室内結露温度の範囲を特定することと、
室内機のファンの回転数を低下させ、コンプレッサの作動速度を調節することにより、室内機の蒸発器の温度を前記室内結露温度の範囲に維持させるように制御することと、
を含む。
【０００９】
さらには、前記した室内機が設けられる室内の現在の環境温度と環境湿度を取得し、室内機の蒸発器表面を結露させうる結露温度の範囲を特定することは、
前記した室内の現在の環境温度と環境湿度に基づいて、現在の環境での室内露点温度Ｔ内露を特定することを含み、
前記室内結露温度の範囲はＴ１＝（Ｔ内露−Ｔ内露修）±２℃であり、
ここで、Ｔ内露修は室内機の蒸発器結露工程の修正温度である。
【００１０】
好ましくは、室内機の蒸発器結露工程の修正温度Ｔ内露修は１５℃〜２５℃で、Ｔ１≧０℃であり、（Ｔ内露−Ｔ内露修）±２℃＜０℃であるとき、Ｔ１は０℃となる。
【００１１】
またさらには、前記した室内機のファンの回転数を低下させ、コンプレッサの作動速度を調節することにより、室内機の蒸発器の温度を前記室内結露温度の範囲に維持させるように制御することは、
室内機のファンを予め定められた低風速で運転させることと、
室内機の蒸発器における銅管の表面温度Ｔ内を検出し、Ｔ内＞Ｔ内露−Ｔ内露修＋２℃であるとき、コンプレッサの作動速度を向上させ、Ｔ内≦Ｔ内露−Ｔ内露修−２℃であるとき、コンプレッサの作動速度を低下させ、Ｔ内露−Ｔ内露修−２℃＜Ｔ内≦Ｔ内露−Ｔ内露修＋２℃であるとき、コンプレッサの作動速度をそのまま維持することと、
を含む。
【００１２】
さらには、室内機の蒸発器表面の結露の継続時間ｔ１は５分〜１５分である。
【００１３】
そのうち、前記した室内機の蒸発器表面を着霜させるように、室内機のファンを停止し、あるいは、室内機のファンの回転数及び／又はコンプレッサの作動速度を調節することは、
室内機の蒸発器表面に着霜させうる室内着霜温度の範囲を特定することと、
室内機のファンの回転数を低下させる、又はそれを停止し、コンプレッサの作動速度を調節することにより、室内機の蒸発器の温度を前記室内着霜温度の範囲に維持させるように制御することと、
を含む。
【００１４】
さらには、室内機の蒸発器表面に着霜させうる着霜温度の範囲を特定することは、
前記室内着霜温度の範囲をＴ２≦０℃となるようにＴ２＝（Ｔ内露−Ｔ内霜修）±２℃とすることを含み、
ここで、Ｔ内霜修は室内機の蒸発器着霜工程の修正温度である。
【００１５】
好ましくは、室内機の蒸発器着霜工程の修正温度Ｔ内霜修は２５℃〜３５℃で、Ｔ内露−Ｔ内霜修＋２℃≦０℃となるように保証されている。
【００１６】
またさらには、前記した室内機のファンの回転数を低下させる、又はそれを停止し、コンプレッサの作動速度を調節することにより、室内機の蒸発器の温度を前記室内着霜温度の範囲に維持させるように制御することは、
室内機のファンを予め定められた微小風速で運転させる、又はそれを停止することと、
室内機の蒸発器における銅管の表面温度Ｔ内を検出し、Ｔ内＞Ｔ内露−Ｔ内霜修＋２℃であるとき、コンプレッサの作動速度を向上させ、Ｔ内≦Ｔ内露−Ｔ内霜修−２℃であるとき、コンプレッサの作動速度を低下させ、Ｔ内露−Ｔ内霜修−２℃＜Ｔ内≦Ｔ内露−Ｔ内霜修＋２℃であるとき、コンプレッサの作動速度をそのまま維持することと、
を含む。
【００１７】
さらには、室内機の蒸発器表面の結露の継続時間ｔ２は５分〜１５分である。
【００１８】
そのうち、前記した室内機の蒸発器表面を除霜・乾燥させるように、室内機のファンの回転数を調節することは、
室内機の蒸発器における銅管の表面温度Ｔ内を検出し、Ｔ内＞Ｔ内除＋２℃であるとき、室内機のファンの回転数を向上させ、Ｔ内≦Ｔ内除−２℃であるとき、室内機のファンの回転数を低下させ、Ｔ内除−２℃＜Ｔ内≦Ｔ内除＋２℃であるとき、室内機のファンの回転数をそのまま維持することを含み、
ここで、Ｔ内除は室内機の蒸発器の除霜・乾燥工程での室内機の蒸発器における銅管の表面の目標温度である。
【００１９】
好ましくは、前記した室内機の蒸発器の除霜・乾燥工程での室内機の蒸発器における銅管の表面の目標温度Ｔ内除は５０℃〜６５℃である。
【００２０】
さらには、前記した室内機の蒸発器表面を除霜・乾燥させるように、室内機のファンの回転数を調節することは、
室内機のファンの回転数Ｒ内を検出し、Ｒ内≧Ｒ熱であるとき、補助電気加熱の機能をオンにし、Ｒ内＜Ｒ熱−５０ＲＰＭであるとき、補助電気加熱の機能をオフにし、Ｒ熱−５０ＲＰＭ＜Ｒ内≦Ｒ熱であるとき、補助電気加熱の機能の現在の状態を維持することをさらに含み、
ここで、Ｒ熱は室内機の蒸発器の除霜・乾燥工程にて補助電気加熱の機能をオンにする場合の最低回転数である。
【００２１】
好ましくは、前記した室内機の蒸発器の除霜・乾燥工程にて補助電気加熱の機能をオンにする場合の最低回転数Ｒ熱は、室内機のファンについて予め定められた中風速に対応するその回転数である。
【００２２】
そのうち、前記した室外機の凝縮器表面を結露させるように、室外機のファンの回転数を調節することは、
室外機が設けられる室外の現在の環境温度と環境湿度を取得し、室外機の凝縮器表面を結露させうる室外結露温度の範囲を特定することと、
室外機のファンの回転数を調節し、室外機の凝縮器の温度を前記室外結露温度の範囲に維持させるように制御することと、
を含む。
【００２３】
さらには、前記した室外機が設けられる室外の現在の環境温度と環境湿度を取得し、室外機の凝縮器表面を結露させうる室外結露温度の範囲を特定することは、
前記した室外の現在の環境温度と環境湿度に基づいて、現在の環境での室外露点温度Ｔ外露を特定することを含み、
前記室外結露温度の範囲はＴ３＝（Ｔ外露−Ｔ外露修）±２℃であり、
ここで、Ｔ外露修は室外機の凝縮器結露工程の修正温度である。
【００２４】
好ましくは、室外機の凝縮器結露工程の修正温度Ｔ外露修は１５℃〜３０℃である。
【００２５】
さらには、前記した室外機のファンの回転数を調節し、室外機の凝縮器の温度を前記室外結露温度の範囲に維持させるように制御することは、
室外機の凝縮器における銅管の表面温度Ｔ外を検出し、Ｔ外＞Ｔ外露−Ｔ外露修＋２℃であるとき、室外機のファンの回転数を低下させ、Ｔ外≦Ｔ外露−Ｔ外露修−２℃であるとき、室外機のファンの回転数を向上させ、Ｔ外露−Ｔ外露修−２℃＜Ｔ外≦Ｔ外露−Ｔ外露修＋２℃であるとき、室外機のファンの回転数をそのまま維持することを含む。
【００２６】
さらには、室外機の凝縮器の結露の継続時間ｔ３は５分〜１５分である。
【００２７】
そのうち、前記した室外機の凝縮器表面を着霜させるように、室外機のファンの回転数を調節することは、
室外機の凝縮器表面を着霜させうる室外着霜温度の範囲を特定することと、
室外機のファンの回転数を調節し、室外機の凝縮器の温度を前記室外着霜温度の範囲に維持させるように制御することと、
を含む。
【００２８】
さらには、前記した室外機の凝縮器表面を着霜させうる室外着霜温度の範囲を特定することは、
前記室外着霜温度の範囲をＴ３≦０℃となるようにＴ３＝（Ｔ外露−Ｔ外霜修）±２℃とすることを含み、
ここで、Ｔ外霜修は室外機の凝縮器着霜工程の修正温度である。
【００２９】
好ましくは、室外機の凝縮器着霜工程の修正温度Ｔ外霜修は２５℃〜４０℃で、Ｔ外露−Ｔ外霜修＋２℃≦０℃となるように保証されている。
【００３０】
さらには、前記した室外機のファンの回転数を調節し、室外機の凝縮器の温度を前記室外着霜温度の範囲に維持させるように制御することは、
室外機の凝縮器における銅管の表面温度Ｔ外を検出し、Ｔ外＞Ｔ外露−Ｔ外霜修＋２℃であるとき、室外機のファンの回転数を低下させ、Ｔ外≦Ｔ外露−Ｔ外霜修−２℃であるとき、室外機のファンの回転数を向上させ、Ｔ外露−Ｔ外霜修−２℃＜Ｔ外≦Ｔ外露−Ｔ外霜修＋２℃であるとき、室外機のファンの回転数をそのまま維持することを含む。
【００３１】
さらには、室外機の凝縮器着霜の継続時間ｔ４は５分〜１５分である。
【００３２】
そのうち、前記した室外機の凝縮器表面を除霜させることは、
室外機が設けられる室外の現在の環境温度Ｔ外環を検出し、Ｔ外環＞１５℃であるとき、室外機のファンの回転数を予め定められた高風速にまで向上させて５分〜１０分運転させ、Ｔ外環≦１５℃であるとき、コンプレッサの運転を停止し四方弁を切り替えてからコンプレッサを再起動させ、また室外機のファンの回転数を調節することで、室外機の凝縮器表面を除霜させることを含む。
【００３３】
さらには、前記した室外機の凝縮器表面を除霜させるように、室外機のファンの回転数を調節することは、
室外機の凝縮器における銅管の表面温度Ｔ外を検出し、Ｔ外＞Ｔ外除＋２℃であるとき、室外機のファンの回転数を向上させ、Ｔ外≦Ｔ外除−２℃であるとき、室外機のファンの回転数を低下させ、Ｔ外除−２℃＜Ｔ外≦Ｔ外除＋２℃であるとき、室外機のファンの回転数をそのまま維持することを含み、
ここで、Ｔ外除は室外機の凝縮器除霜工程での室外機の凝縮器における銅管の表面の目標温度である。
【００３４】
好ましくは、前記した室外機の凝縮器除霜工程での室外機の凝縮器における銅管の表面の目標温度Ｔ外除は５０℃〜６５℃である。
【００３５】
本発明は、上記した空調室内機・室外機の自己清浄方法を実行可能な空調器をさらに提供する。
【００３６】
本発明による前記した空調室内機・室外機の自己清浄方法では、結露と着霜の二つの自己清浄手段が併用されており、結露によれば、蒸発器と凝縮器の表面の汚れを溶解でき、着霜によれば、蒸発器と凝縮器の表面の汚れを剥離することで、空調室内機・室外機の自己清浄がより良好に実現可能になる。
【００３７】
前記した空調室内機・室外機の自己清浄方法は、コンプレッサの作動速度、室内機のファン又は室外機のファンの回転数を調節するだけで、蒸発器又は凝縮器の結露、着霜、除霜及び乾燥の工程が実現され、空調器のうち他の構造の変更が不要である一方、大部分の空調器に適するものである。
【００３８】
追加のコスト増加せずに、空調の制御流れのみを変えることで、コンプレッサ、絞り機構、室内ファン、室外ファン、補助電気ヒータ等のアクチュエータによる連携制御にて室内機の蒸発器の結露、着霜、除霜、乾燥等の工程が実現され、室内機の自己清浄作業が可能になるとともに、室外側の凝縮器についても同様に、結露、着霜、除霜の工程によりその自己清浄が可能になっている。
【発明の効果】
【００３９】
１．空調室内機の自己清浄や乾燥・静菌が可能になり、空調性能が向上するとともに、利用者の健康を確保することにも役立っている。
【００４０】
２．空調室外機の自己清浄が可能になり、室外機による空気導入量が向上し、空調性能が向上している。
【００４１】
３．追加のコスト増加せずに、空調の制御流れのみを変えることで、室内機と室外機の自己清浄作業が可能になっている。
【図面の簡単な説明】
【００４２】
【図１】本発明の実施例１にかかる空調室内機・室外機の自己清浄方法のフロー図である。
【発明を実施するための形態】
【００４３】
本開示の解決手段をより明確に説明するために、以下、具体的な実施例と添付の図面を参照して、空調室内機・室外機の自己清浄方法について説明を行うが、下記の実施例は本開示のいくつかの実施例にすぎず、当業者にとっては、さらなる創造性を要することなく、これらの実施例のもとに他の実施例が得られるのは明らかである。
【実施例１】
【００４４】
本実施例にかかる空調室内機・室外機の自己清浄方法のフロー図は図１に示されている。具体的な手順は以下の通りである。
【００４５】
（１）空調室内機の結露工程にて、室内機の蒸発器表面を結露させるように、室内機のファンの回転数及び／又はコンプレッサの作動速度を調節する。
【００４６】
室内機が設けられる室内の現在の環境温度と環境湿度を取得し、前記した室内の現在の環境温度と環境湿度に基づいて、現在の環境での室内露点温度をＴ内露＝１８℃と特定し、室内機の蒸発器結露工程の修正温度Ｔ内露修を１５℃とする。
【００４７】
前記室内結露温度の範囲はＴ１＝（Ｔ内露−Ｔ内露修）±２℃＝１℃〜３℃である。
【００４８】
続いて、室内機のファンの回転数を低下させて予め定められた低風速で運転させ、コンプレッサの作動速度を調節することにより、室内機の蒸発器の温度を前記室内結露温度の範囲に維持させるように制御する。すなわち、室内機の蒸発器における銅管の表面温度Ｔ内を検出し、Ｔ内＞３℃であるとき、コンプレッサの作動速度を向上させ、Ｔ内≦１℃であるとき、コンプレッサの作動速度を低下させ、１℃＜Ｔ内≦３℃であるとき、コンプレッサの作動速度をそのまま維持する。
【００４９】
室内機の蒸発器表面の結露の継続時間ｔ１は５分である。
【００５０】
（２）空調室内機の着霜工程にて、室内機の蒸発器表面を着霜させるように、室内機のファンを停止し、あるいは、室内機のファンの回転数及び／又はコンプレッサの作動速度を調節する。
【００５１】
まず、室内機の蒸発器表面を着霜させうる室内着霜温度の範囲を特定し、室内機の蒸発器着霜工程の修正温度Ｔ内霜修を２５℃とする。
【００５２】
前記室内着霜温度の範囲はＴ２＝−９℃〜−７℃である。
【００５３】
続いて、室内機のファンを予め定められた微小風速で運転させる、又はそれを停止し、コンプレッサの作動速度を調節することにより、室内機の蒸発器の温度を前記室内着霜温度の範囲に維持させるように制御する。すなわち、室内機の蒸発器における銅管の表面温度Ｔ内を検出し、Ｔ内＞−７℃であるとき、コンプレッサの作動速度を向上させ、Ｔ内≦−９℃であるとき、コンプレッサの作動速度を低下させ、−９℃＜Ｔ内≦−７℃であるとき、コンプレッサの作動速度をそのまま維持する。
【００５４】
室内機の蒸発器表面の結露の継続時間ｔ２は１５分である。
【００５５】
（３）コンプレッサの運転を停止し四方弁を切り替えてからコンプレッサを再起動させることで、室内機の蒸発器の除霜・乾燥工程及び室外機の凝縮器の結露・着霜工程を行う。
【００５６】
室内機の蒸発器の除霜・乾燥工程にて、室内機の蒸発器表面を除霜・乾燥させるように、室内機のファンの回転数を調節し、室内機の蒸発器の除霜・乾燥工程での室内機の蒸発器における銅管の表面の目標温度Ｔ内除を５０℃とする。
【００５７】
室内機の蒸発器における銅管の表面温度Ｔ内を検出し、Ｔ内＞５２℃であるとき、室内機のファンの回転数を向上させ、Ｔ内≦４８℃であるとき、室内機のファンの回転数を低下させ、４８℃＜Ｔ内≦５２℃であるとき、室内機のファンの回転数をそのまま維持する。
【００５８】
それと同時に、室内機のファンの回転数Ｒ内を検出し、Ｒ内≧Ｒ熱であるとき、補助電気加熱の機能をオンにし、Ｒ内＜Ｒ熱−５０ＲＰＭであるとき、補助電気加熱の機能をオフにし、Ｒ熱−５０ＲＰＭ＜Ｒ内≦Ｒ熱であるとき、補助電気加熱の機能の現在の状態を維持する。ここで、Ｒ熱は室内機の蒸発器の除霜・乾燥工程にて補助電気加熱の機能をオンにする場合の最低回転数である。Ｒ熱を室内機のファンについて予め定められた中風速に対応するその回転数とする。
【００５９】
室外機の凝縮器結露工程にて、室外機の凝縮器表面を結露させるように、室外機のファンの回転数を調節し、室外機の凝縮器結露工程の修正温度Ｔ外露修を１５℃とする。
【００６０】
まず、室外機が設けられる室外の現在の環境温度と環境湿度を取得し、前記した室外の現在の環境温度と環境湿度に基づいて、現在の環境での室外露点温度をＴ外露＝２３℃と特定し、
前記室外結露温度の範囲はＴ３＝（Ｔ外露−Ｔ外露修）±２℃＝６℃〜１０℃である。
【００６１】
続いて、室外機のファンの回転数を調節し、室外機の凝縮器の温度を前記室外結露温度の範囲に維持させるように制御する。すなわち、室外機の凝縮器における銅管の表面温度Ｔ外を検出し、Ｔ外＞６℃であるとき、室外機のファンの回転数を低下させ、Ｔ外≦１０℃であるとき、室外機のファンの回転数を向上させ、６℃＜Ｔ外≦１０℃であるとき、室外機のファンの回転数をそのまま維持する。
【００６２】
室外機の凝縮器の結露の継続時間ｔ３は５分である。
【００６３】
室外機の凝縮器着霜工程にて、室外機の凝縮器表面を着霜させるように、室外機のファンの回転数を調節する。室外機の凝縮器着霜工程の修正温度Ｔ外霜修は２５℃であり、
まず、室外機の凝縮器表面を結露させうる室外着霜温度の範囲をＴ３＝（Ｔ外露−Ｔ外霜修）±２℃＝−４℃〜０℃と特定し、
続いて、室外機のファンの回転数を調節し、室外機の凝縮器の温度を前記室外着霜温度の範囲に維持させるように制御する。すなわち、室外機の凝縮器における銅管の表面温度Ｔ外を検出し、Ｔ外＞０℃であるとき、室外機のファンの回転数を低下させ、Ｔ外≦−４℃であるとき、室外機のファンの回転数を向上させ、−４℃＜Ｔ外≦０℃であるとき、室外機のファンの回転数をそのまま維持する。
【００６４】
室外機の凝縮器着霜の継続時間ｔ４は１５分である。
【００６５】
（４）室外機除霜工程にて、室外機の凝縮器表面を除霜させる。
【００６６】
室外機が設けられる室外の現在の環境温度をＴ外環＝３５℃と検出すると、Ｔ外環＞１５℃であるから、室外機のファンの回転数を予め定められた高風速にまで向上させて５分〜１０分運転させる。
【実施例２】
【００６７】
本実施例にかかる空調室内機・室外機の自己清浄方法の手順は以下の通りである。
【００６８】
（１）空調室内機の結露工程にて、室内機の蒸発器表面を結露させるように、室内機のファンの回転数及び／又はコンプレッサの作動速度を調節する。
【００６９】
まず、室内機が設けられる室内の現在の環境温度と環境湿度を取得し、前記した室内の現在の環境温度と環境湿度に基づいて、現在の環境での室内露点温度をＴ内露＝２３℃と特定し、室内機の蒸発器結露工程の修正温度Ｔ内露修を２５℃とする。
【００７０】
前記室内結露温度の範囲はＴ１＝（Ｔ内露−Ｔ内露修）±２℃＝−４℃〜０℃である。
【００７１】
続いて、室内機のファンの回転数を低下させて予め定められた低風速で運転させ、コンプレッサの作動速度を調節することにより、室内機の蒸発器の温度を前記室内結露温度の範囲に維持させるように制御する。すなわち、室内機の蒸発器における銅管の表面温度Ｔ内を検出し、Ｔ内＞０℃であるとき、コンプレッサの作動速度を向上させ、Ｔ内≦−４℃であるとき、コンプレッサの作動速度を低下させ、−４℃＜Ｔ内≦０℃であるとき、コンプレッサの作動速度をそのまま維持する。
【００７２】
室内機の蒸発器表面の結露の継続時間ｔ１は１５分である。
【００７３】
（２）空調室内機の着霜工程にて、室内機の蒸発器表面を着霜させるように、室内機のファンを停止し、あるいは、室内機のファンの回転数及び／又はコンプレッサの作動速度を調節する。
【００７４】
まず、室内機の蒸発器表面を着霜させうる室内着霜温度の範囲を特定し、室内機の蒸発器着霜工程の修正温度Ｔ内霜修を３５℃とする。
【００７５】
前記室内着霜温度の範囲はＴ２＝（Ｔ内露−Ｔ内霜修）±２℃＝−１４℃〜−１０℃である。
【００７６】
続いて、室内機のファンを予め定められた微小風速で運転させる、又はそれを停止し、コンプレッサの作動速度を調節することにより、室内機の蒸発器の温度を前記室内着霜温度の範囲に維持させるように制御する。すなわち、室内機の蒸発器における銅管の表面温度Ｔ内を検出し、Ｔ内＞−１０℃であるとき、コンプレッサの作動速度を向上させ、Ｔ内≦−１４℃であるとき、コンプレッサの作動速度を低下させ、−１４℃＜Ｔ内≦−１０℃であるとき、コンプレッサの作動速度をそのまま維持する。
【００７７】
室内機の蒸発器表面の結露の継続時間ｔ２は５分である。
【００７８】
（３）コンプレッサの運転を停止し四方弁を切り替えてからコンプレッサを再起動させることで、室内機の蒸発器の除霜・乾燥工程及び室外機の凝縮器の結露・着霜工程を行う。
【００７９】
室内機の蒸発器の除霜・乾燥工程にて、室内機の蒸発器表面を除霜・乾燥させるように、室内機のファンの回転数を調節し、室内機の蒸発器の除霜・乾燥工程での室内機の蒸発器における銅管の表面の目標温度Ｔ内除を６５℃とする。
【００８０】
室内機の蒸発器における銅管の表面温度Ｔ内を検出し、Ｔ内＞６７℃であるとき、室内機のファンの回転数を向上させ、Ｔ内≦６３℃であるとき、室内機のファンの回転数を低下させ、６３℃＜Ｔ内≦６７℃であるとき、室内機のファンの回転数をそのまま維持する。
【００８１】
それと同時に、室内機のファンの回転数Ｒ内を検出し、Ｒ内≧Ｒ熱であるとき、補助電気加熱の機能をオンにし、Ｒ内＜Ｒ熱−５０ＲＰＭであるとき、補助電気加熱の機能をオフにし、Ｒ熱−５０ＲＰＭ＜Ｒ内≦Ｒ熱であるとき、補助電気加熱の機能の現在の状態を維持する。ここで、Ｒ熱は室内機の蒸発器の除霜・乾燥工程にて補助電気加熱の機能をオンにする場合の最低回転数である。Ｒ熱を室内機のファンについて予め定められた中風速に対応するその回転数とする。
【００８２】
室外機の凝縮器結露工程にて、室外機の凝縮器表面を結露させるように、室外機のファンの回転数を調節し、室外機の凝縮器結露工程の修正温度Ｔ外露修を３０℃とする。
【００８３】
まず、室外機が設けられる室外の現在の環境温度と環境湿度を取得し、前記した室外の現在の環境温度と環境湿度に基づいて、現在の環境での室外露点温度をＴ外露＝２７℃と特定し、
前記室外結露温度の範囲はＴ３＝（Ｔ外露−Ｔ外露修）±２℃＝−５℃〜−１℃である。
【００８４】
続いて、室外機のファンの回転数を調節し、室外機の凝縮器の温度を前記室外結露温度の範囲に維持させるように制御する。すなわち、室外機の凝縮器における銅管の表面温度Ｔ外を検出し、Ｔ外＞−１℃であるとき、室外機のファンの回転数を低下させ、Ｔ外≦−５℃であるとき、室外機のファンの回転数を向上させ、−５℃＜Ｔ外≦−１℃であるとき、室外機のファンの回転数をそのまま維持する。
【００８５】
室外機の凝縮器の結露の継続時間ｔ３は１５分である。
【００８６】
室外機の凝縮器着霜工程にて、室外機の凝縮器表面を着霜させるように、室外機のファンの回転数を調節する。室外機の凝縮器着霜工程の修正温度Ｔ外霜修は４０℃であり、
まず、室外機の凝縮器表面を結露させうる室外着霜温度の範囲をＴ３＝（Ｔ外露−Ｔ外霜修）±２℃＝−１５℃〜−１１℃と特定し、
続いて、室外機のファンの回転数を調節し、室外機の凝縮器の温度を前記室外着霜温度の範囲に維持させるように制御する。すなわち、室外機の凝縮器における銅管の表面温度Ｔ外を検出し、Ｔ外＞−１１℃であるとき、室外機のファンの回転数を低下させ、Ｔ外≦−１５℃であるとき、室外機のファンの回転数を向上させ、−１５℃＜Ｔ外≦−１１℃であるとき、室外機のファンの回転数をそのまま維持する。
【００８７】
室外機の凝縮器着霜の継続時間ｔ４は５分である。
【００８８】
（４）室外機除霜工程にて、室外機の凝縮器表面を除霜させる。
【００８９】
室外機が設けられる室外の現在の環境温度をＴ外環＝４２℃と検出し、即ち、Ｔ外環＞１５℃であるから、室外機のファンの回転数を予め定められた高風速にまで向上させて５分〜１０分運転させる。
【実施例３】
【００９０】
室外機の凝縮器除霜工程にて、Ｔ外環≦１５℃と検出されると、コンプレッサの運転を停止し四方弁を切り替えてからコンプレッサを再起動させ、また室外機のファンの回転数を調節することで、室外機の凝縮器表面を除霜させる。すなわち、室外機の凝縮器における銅管の表面温度Ｔ外を検出し、Ｔ外＞Ｔ外除＋２℃であるとき、室外機のファンの回転数を向上させ、Ｔ外≦Ｔ外除−２℃であるとき、室外機のファンの回転数を低下させ、Ｔ外除−２℃＜Ｔ外≦Ｔ外除＋２℃であるとき、室外機のファンの回転数をそのまま維持する。そのうち、室外機の凝縮器除霜工程での室外機の凝縮器における銅管の表面の目標温度Ｔ外除は５０℃〜６５℃である。
【００９１】
開示した実施例についての上記説明によれば、当業者は本発明を実現したり使用することが可能になる。これらの実施例に対する様々な変更は当業者にとっては明らかなものであり、本願において定義された一般原理は、本発明の精神や範囲から逸脱することなく、他の実施例にて実現されうる。このため、本発明は、本願に示されたこれらの実施例に制限されず、本願に開示した原理と新規な特徴と合致する最大限の範囲に含まれている。
【図１】
2020038053.tif 000003
【外国語明細書】
2020038053.tif 000004
2020038053.tif 000005
2020038053.tif 000006
2020038053.tif 000007
2020038053.tif 000008
2020038053.tif 000009
2020038053.tif 000010
2020038053.tif 000011
2020038053.tif 000012
2020038053.tif 000013
2020038053.tif 000014
2020038053.tif 000015
2020038053.tif 000016
2020038053.tif 000017
2020038053.tif 000018
2020038053.tif 000019
2020038053.tif 000020
2020038053.tif 000021
2020038053.tif 000022
2020038053.tif 000023
2020038053.tif 000024
2020038053.tif 000025
2020038053.tif 000026
2020038053.tif 000027
【図１】
2020038053.tif 000028